(57)【要約】支持体上に顔料と結着剤から構成されるインク受理層を少なくとも１層以上設けたインクジェット記録媒体。前記インク受理層のうち、少なくとも最外層のインク受理層の顔料はカチオン性顔料であり、また、前記最外層のインク受理層中にはカチオン性ビス（トリアジニルアミノ）スチルベンジスルホン酸誘導体型蛍光増白剤が含有されている。更に、表面の白色度は、ＪＩＳ  Ｐ８１４８に定められるＩＳＯ白色度として９０％以上である。【特許請求の範囲】
【請求項１】
顔料と結着剤から構成されるインク受理層を支持体上に少なくとも１層以上設けたインクジェット記録媒体であって、前記インク受理層のうち、少なくとも最外層のインク受理層中の前記顔料がカチオン性顔料であると共に、該インク受理層中にカチオン性ビス（トリアジニルアミノ）スチルベンジスルホン酸誘導体型蛍光増白剤が含有され、表面の白色度がＪＩＳ  Ｐ８１４８に定められるＩＳＯ白色度として９０％以上であることを特徴とするインクジェット記録媒体。
【請求項２】
表面の光沢度がＪＩＳ  Ｚ８７４１に定められる２０度鏡面光沢度として１５％以上である、請求の範囲第１項に記載されたインクジェット記録媒体。
【請求項３】
前記最外層のインク受理層におけるカチオン性顔料がアルミナ化合物である、請求の範囲第１項又は第２項に記載されたインクジェット記録媒体。
【請求項４】
前記最外層のインク受理層における結着剤がポリビニルアルコールを含有する、請求の範囲第１項〜第３項の何れかに記載されたインクジェット記録媒体。
【請求項５】
前記支持体が透気性であると共に、前記最外層のインク受理層が凝固法キャストコート法によって設けられた光沢を有するインク受理層である、請求の範囲第１項〜第４項の何れかに記載されたインクジェット記録媒体。
【請求項６】
前記最外層のインク受理層におけるアルミナ化合物がγ型結晶形アルミナである、請求の範囲第３項〜第５項の何れかに記載されたインクジェット記録媒体。
【請求項７】
前記最外層のインク受理層におけるγ型結晶形アルミナの平均粒子径が１．０μｍ〜３．５μｍである、請求の範囲第６項に記載されたインクジェット記録媒体。
【発明の詳細な説明】
【技術分野】  本発明はインクジェット記録媒体に関し、特に染料インクを用いた印字に適し、高い光沢感と白色度が得られると共に、記録画像の耐光性が良好であるインクジェット記録媒体に関する。
【背景技術】  一般にインクジェット記録方式は、種々の機構によりインクの小滴を吐出し、記録媒体上に付着させることにより、ドットを形成し記録を行うものであるが、ドットインパクトタイプの記録方式に比べて騒音がなく、またフルカラー化が容易である上、高速印字が可能であるなどの利点がある。一方、インクジェット記録に使用されるインクは、通常直接染料や酸性染料などを用いた水性インクであるため乾燥性が悪いという欠点がある。
最近では高解像度のデジタルビデオ、デジタルカメラ、スキャナーおよびパーソナルコンピューターの普及により高精細の画像を取り扱う機会が多くなり、これらのハードコピーをインクジェットプリンターで出力する事が多くなっている。これに伴い記録媒体に対しても要求特性が多様化してきており、中でも高い光沢感と白色度を有する記録媒体の要望が高くなってきている。
このようなインクジェット記録方式に用いられるインクジェット記録媒体に要求される特性として、インク乾燥速度が速いこと、印字濃度が高いこと、インクの溢れや滲みがないこと、更に、インクを吸収することにより用紙が波打ちしないこと等が挙げられる。これらの特性を満たした高画質のインクジェット記録媒体を、キャストコート法により製造する方法は、特開昭６２−９５２８５号、特開昭６３−２６４３９１号、特開平２−２７４５８７号、特開平５−５９６９４号公報等で既に提案されている。
これらの製造方法は、何れも非カチオン性顔料である合成シリカを主成分とする顔料、及び結着剤とからなるインク受理層を、未乾燥の湿潤状態にあるうちに加熱された鏡面仕上げ面に圧着して鏡面を写し取ると同時に乾燥させ、インクジェット記録媒体を得るものであるが、これらの場合には最表層の光沢感が低かった。
また、一般にアルミナゾルと呼ばれるアルミナ水和物を含むカチオン性顔料を用いた記録媒体として、例えば特開平５−１２４３３０号公報、特開平６−７９９６７号公報、特開平１１−９１２３８号公報に開示されている。しかしながら、カチオン性顔料を使用すると非カチオン性顔料と比較して高い光沢感を得ることが容易になるだけでなく、インクジェット記録に使用されるインクは一般的にアニオン性の染料を使用しているため、カチオン性顔料を使用するとインクの定着性が良好であるという特徴がある。一方、インクジェット記録媒体の白色度を向上させる蛍光増白剤も一般的にアニオン性であるので、高い白色度を得ることを目的としてインク受理層用塗工液にアニオン性蛍光増白剤を添加すると、塗工液中のカチオン性顔料が凝集し、塗工液の安定性が著しく低下してインクジェット記録媒体を得ることが困難になるという問題があった。また、カチオン性顔料とアニオン性蛍光増白剤を併用すると、インクジェット記録による記録画像の耐光性が低下し、記録画像の変色が大きくなるという欠点があった。
アニオン性蛍光増白剤と異なり、カチオン性顔料と併用してもインク受理層用塗工液の安定性が低下しないカチオン性蛍光増白剤を用いた記録媒体は、特開昭５９−５２６８９号公報等に開示されているが、これらで使用されているカチオン性ベンゾイミダゾール型誘導体、カチオン性クマリン型誘導体、及びカチオン性アミノクマリン型誘導体等のカチオン性蛍光増白剤は、記録媒体の増白効果が低く、高い白色度を得ることが出来なかった。また、これらの場合にはアニオン性蛍光増白剤の場合と同様に、カチオン性顔料と併用するとインクジェット記録による記録画像の耐光性が低下し、記録画像の変色が大きくなるという欠点があった。
本発明者らは、上記の課題を解決すべく顔料及び蛍光増白剤について鋭意研究した結果、少なくとも最外層のインク受理層にカチオン性顔料と特定の構造を有するカチオン性蛍光増白剤とを併用することにより、得られたインクジェット記録媒体が高い光沢感と白色度を同時に有すると共に、記録画像の耐光性が良好であるインクジェット記録媒体を得ることに成功し、本発明に到達した。
従って、本発明の目的は、インクジェット記録特性が良好であるだけでなく、高い光沢感と白色度が得られると共に、記録画像の耐光性が良好であるインクジェット記録媒体を提供することにある。
【発明の開示】
すなわち本発明は、顔料と結着剤から構成されるインク受理層を支持体上に少なくとも１層以上設けたインクジェット記録媒体であって、前記インク受理層のうち、少なくとも最外層のインク受理層中の前記顔料がカチオン性顔料であると共に、該インク受理層中にカチオン性ビス（トリアジニルアミノ）スチルベンジスルホン酸誘導体型蛍光増白剤が含有され、表面の白色度がＪＩＳ  Ｐ８１４８に定められるＩＳＯ白色度として９０％以上であることを特徴とするインクジェット記録媒体である。
本発明においては、特に、表面の光沢度がＪＩＳ  Ｚ８７４１に定められる２０度鏡面光沢度として１５％以上であることが好ましく、前記最外層のインク受理層におけるカチオン性顔料がアルミナ化合物であることが好ましい。前記最外層のインク受理層における結着剤はポリビニルアルコールを含有することが好ましく、前記最外層のインク受理層が、透気性を有する基材上に、アルミナ化合物及びポリビニルアルコールを含有する塗工液を塗布してインク受理層を設け、前記インク受理層が湿潤状態にあるうちに前記インク受理層上にポリビニルアルコールを凝固する作用を持つ処理液を塗布した後、前記インク受理層が湿潤状態にあるうちに加熱した鏡面ドラムの表面に該インク受理層を圧着して乾燥する、いわゆる凝固法キャストコート法によって設けられ、インク受理層表面が光沢を有することが好ましい。
また、前記最外層のインク受理層におけるアルミナ化合物はγ型結晶形アルミナであることが好ましく、該γ型結晶形アルミナの平均粒子径は１．０μｍ〜３．５μｍであることが好ましい。
【発明を実施するための最良の形態】（支持体）
本発明で使用する支持体としては、透気性支持体、非透気性支持体のいずれでも用いることが出来るが、透気性支持体の方がキャストコート法により高い光沢感を付与することが容易であるので好ましい。
透気性支持体としては、特に紙（塗工紙、未塗工紙等）が好ましい。該紙の原料パルプとしては、化学パルプ（針葉樹の晒または未晒クラフトパルプ、広葉樹の晒または未晒クラフトパルプ等）、機械パルプ（グランドパルプ、サーモメカニカルパルプ、ケミサーモメカニカルパルプ等）、脱墨パルプ等を、単独または任意の割合で混合して使用することが可能である。
前記紙のｐＨは、酸性、中性、アルカリ性のいずれでも良い。また、紙中に填料を含有させると紙の不透明度を向上させることが出来るため、填料を含有させることが好ましい。填料としては、水和珪酸、ホワイトカーボン、タルク、カオリン、クレー、炭酸カルシウム、酸化チタン、合成樹脂填料等の公知の填料を使用することができる。紙中填料として含有させることにより支持体の白色度を大きく向上させ、高い白色度を有するインクジェット記録媒体を得ることが容易になるという観点から、特に酸化チタン、カオリン及び炭酸カルシウムが好ましく、特に白色度の向上を大きくするという観点から酸化チタンが最も好ましい。
非透気性支持体としては、プラスチック樹脂フィルム支持体、あるいは紙の少なくとも片面をプラスチック樹脂フィルムで被覆した支持体が挙げられる。プラスチック樹脂フィルム支持体としては、ポリエステルフィルム、ポリ塩化ビニルフィルム、ポリプロピレンフィルム、セルローストリアセテートフィルム、ポリスチレンフィルム等が挙げられる。プラスチック樹脂フィルムで被覆した支持体としては、好ましくは木材パルプを主原料とし、必要に応じて、ポリプロピレンなどの合成パルプあるいはナイロンやポリエステルなどの合成繊維を加えて抄紙される原紙の、少なくとも片面にポリオレフィン樹脂を被覆したものが挙げられる。被覆するポリオレフィン樹脂としては、特にポリエチレンが好ましい。
（顔料）
本発明におけるインク受理層に含まれる顔料としては、アルミナやアルミナ水和物、アルミナゾル、コロイダルアルミナ、水酸化アルミニウム、シリカ、カオリン、タルク、炭酸カルシウム、二酸化チタン、クレー、酸化亜鉛等のカチオン性顔料や非カチオン性顔料が挙げられる。これらは単独又は併用して用いることができるが、少なくとも最外層のインク受理層に含まれる顔料は、得られたインクジェット記録媒体が高い光沢感を有するように、アルミナやアルミナ水和物、アルミナゾル、コロイダルアルミナ等のカチオン性顔料である必要がある。また、シリカ等の非カチオン性顔料も、顔料分散液中にカチオン性物質を添加した後、再分散するなどしてカチオン性を付与することにより、カチオン性顔料として使用することができる。なお、カチオン性顔料とは、水に分散するとそのスラリーがカチオン性となる顔料を意味する。
カチオン性顔料としては、前記したアルミナやアルミナ水和物に代表されるアルミナ化合物が好ましく、特にキャストコート法により高い光沢感を得ることが容易であるγ型結晶形のアルミナが好ましい。本発明でいうγ型結晶形アルミナは、公知の方法で製造された擬ベーマイトまたはベーマイトを４００℃〜９００℃の温度で加熱、焼成することによって得られる。このようにして製造されたγ型結晶形アルミナは、粉砕及び分級により、所望の粒径を有し所望の粒度分布範囲に入るように調整される。
γ型結晶形アルミナの結晶構造は微少な鱗片状であるため、キャストコート法において加熱した鏡面ドラムとの密着性が高く、ドラム表面の鏡面を写し取ることが容易である。また、透明性が高いのでインクジェット記録した際の発色性が高くなる。本発明に使用されるγ型結晶形アルミナの平均粒子径は８μｍ以下であることが好ましく、更に好ましくは１．０μｍ〜３．５μｍ、特に好ましくは２．０μｍ〜３．０μｍである。平均粒子径が８μｍを越えると、キャストコート法において加熱した鏡面ドラム表面の鏡面を十分に写し取ることが出来なくなり、光沢感の高い記録媒体を得ることが出来なくなることがある。また、平均粒子径が１．０μｍ未満であると、光沢感の高い記録媒体を得ることは可能であるが、インクジェットプリンターで記録した際のインク吸収性が低下する傾向がある。なお、上記の平均粒子径はレーザー回析・散乱法で測定する。
（蛍光増白剤）
本発明において、少なくとも最外層のインク受理層に含ませる蛍光増白剤は、得られたインクジェット記録媒体の表面に、ＪＩＳ  Ｐ８１４８に定められるＩＳＯ白色度として９０％以上である高い白色度を持たせるために、カチオン性ビス（トリアジニルアミノ）スチルベンジスルホン酸誘導体型蛍光増白剤であることが必要である。
本発明のカチオン性ビス（トリアジニルアミノ）スチルベンジスルホン酸誘導体型蛍光増白剤としては、ビス（トリアジニルアミノ）スチルベンジスルホン酸誘導体型蛍光増白剤それ自体がカチオン性を示すものの他、アニオン性ビス（トリアジニルアミノ）スチルベンジスルホン酸誘導体型蛍光増白剤と４級アンモニウム基とを含むポリマーであって、ポリマー全体がカチオン性を示すものも含む。このカチオン性ポリマーの場合、カチオン性ポリマーにおける、４級アンモニウム基に対する対イオンが、アニオン性ビス（トリアジニルアミノ）スチルベンジスルホン酸誘導体型蛍光増白剤のアニオン基である水溶液（水溶液としてはカチオン性を示す）であると、安定性に優れる点で好ましい。
本発明においては、上記したカチオン性ポリマーの水溶液として、特表２００２−５１８５６８号公報に記載されているもの、つまり、ポリマーのヘテロ原子鎖構成成分又は環構成成分として塩形態の４級アンモニウム基を含むポリカチオンポリマーの水溶液であって、４級カチオン基に対する対イオンの一部が、少なくとも１つのアニオン基を含むアニオン蛍光増白剤のアニオン基である水溶液を使用することが特に好ましい。
ここで、カチオン性ポリマーに含まれるアニオン性ビス（トリアジニルアミノ）スチルベンジスルホン酸誘導体型蛍光増白剤としては、上記特表２００２−５１８５６８号公報の実施例１〜１２（同公報の段落００４１〜００４９）に記載されている化学式（化５〜化１２）に示される化合物、及び実施例１３〜１６（同公報の段落００５０〜００５３）に記載されている化合物が例示される。
インクジェット記録媒体に要求される白色度等に応じて、最外層のインク受理層と共に、最外層以外のインク受理層にも、この蛍光増白剤を用いることができる。最外層以外のインク受理層においては、ビス（トリアジニルアミノ）スチルベンジスルホン酸誘導体、ベンゾイミダゾール誘導体、クマリン誘導体、アミノクマリン誘導体、ベンゾオキサゾール誘導体等、公知の蛍光増白剤を単独又は併用して用いることができる。なお、カチオン性蛍光増白剤とは、水に溶解もしくは分散すると、その溶液もしくはスラリーがカチオン性となる蛍光増白剤を意味する。
最外層のインク受理層中のカチオン性ビス（トリアジニルアミノ）スチルベンジスルホン酸誘導体型蛍光増白剤の配合量は、カチオン性顔料１００重量部に対して０．２重量部〜４重量部であることが好ましい。配合量を多くすると配合量に対する増白効果が小さくコストアップになる上に、画像耐光性が低下する傾向がある。配合量が少ないと白色度が向上しない。
（結着剤）
本発明におけるインク受理層に含まれる結着剤としては、ポリビニルアルコール、ポリビニルアセタール、ポリビニルピロリドン、酸化澱粉、エステル化澱粉等の澱粉類、カルボキシメチルセルロース、ヒドロキシエチルセルロース等のセルロース誘導体、カゼイン、ゼラチン、大豆タンパク、スチレン−アクリル樹脂及びその誘導体、スチレン−ブタジエン樹脂ラテックス、アクリル樹脂エマルジョン、酢酸ビニル樹脂エマルジョン、塩化ビニル樹脂エマルジョン、ウレタン樹脂エマルジョン、尿素樹脂エマルジョン、アルキッド樹脂エマルジョン及びこれらの誘導体等が挙げられ、これらを単独又は併用して用いることができる。
特に、インク受理層が湿潤状態にあるうちに結着剤を凝固させる作用を持つ処理液を塗布した後、該インク受理層を加熱した鏡面に圧着し、光沢を付与するキャストコート法によりインク受理層を設ける場合には、結着剤としてはポリビニルアルコールを使用することが好ましい。この場合、本発明の効果を損なわない程度に他の結着剤を併用することもできる。ポリビニルアルコールは前記処理液と十分に反応すれば良く、その範囲で鹸化度や重合度を適宜選択して用いることが出来る。
また、インク受理層中の結着剤の配合量は、顔料１００重量部に対して、５重量部〜３０重量部であることが好ましいが、必要なインク受理層強度が得られる限り、特に限定されるものではない。インク受理層強度を向上させるという観点から、ポリビニルアルコールが全結着剤の３０重量％以上含有されていることが好ましい。特に凝固法キャストコート法にてインク受理層を設ける場合には、ポリビニルアルコールが全結着剤中の５０重量％以上含有されていることが好ましい。
（インク受理層処理液）
インク受理層が湿潤状態にあるうちに結着剤を凝固させる作用を持つ処理液を塗布した後、該インク受理層を加熱した鏡面に圧着して光沢を付与するキャストコート法によりインク受理層を設ける場合、前記した如く、インク受理層に含まれる結着剤はポリビニルアルコールであることが好ましい。結着剤としてポリビニルアルコールを使用した場合のインク受理層処理液としては、ポリビニルアルコールを凝固させる作用を持つ化合物を含有する水溶液であればいずれのものも使用することができるが、特に、ホウ酸とホウ酸塩とを含有する処理液が好ましい。また、ホウ酸塩とホウ酸を混合して使用すると、ホウ酸単独の場合よりも水に対するホウ酸の溶解度が向上し、ポリビニルアルコールの凝固状態の調整がしやすくなるため、高い光沢感を有するインクジェット記録用のキャストコート紙を得ることが容易になる。なお、インク受理層処理液を塗布する際にインク受理層が乾燥状態である、いわゆるリウェットキャストコート法などでは鏡面ドラム表面を写し取ることが難しく、表面に微小な凹凸が多くなり高い光沢感を得にくい。
インク受理層処理液中には、ホウ酸塩とホウ酸を無水物換算後の重量比で０．２５／１〜２／１の範囲で用いることが特に好ましい。ホウ酸塩／ホウ酸の配合比が０．２５／１未満では、ホウ酸の割合が多くなりすぎてインク受理層中のポリビニルアルコールの凝固の状態が柔らかくなりすぎるため、インク受理層処理液付与ロールに軟凝固のインク受理層が付着し、良好な湿潤状態のインク受理層を得ることが出来ないことがある。一方、ホウ酸塩／ホウ酸の配合比が２／１を越えるとインク受理層中のポリビニルアルコールの凝固の状態が固くなるため、キャストコート紙表面の光沢感が低くなると共に、光沢ムラを生じることがある。
本発明で用いられるホウ酸塩としては、例えばホウ砂、オルトホウ酸塩、二ホウ酸塩、メタホウ酸塩、五ホウ酸塩、および八ホウ酸塩等があるが、特に限定されるものではない。入手しやすいことと低コストの点でホウ砂を用いることが好ましい。インク受理層処理液中のホウ酸塩及びホウ酸の濃度は、必要に応じて適宜調整できる。インク受理層処理液中のホウ酸塩及びホウ酸の濃度が高くなるとポリビニルアルコールの凝固が強くなり、光沢感が劣る傾向にあると共に、処理液中に結晶が析出しやすくなり、インク受理層処理液の安定性が悪くなることがある。
（剥離剤）
インク受理層が湿潤状態にあるうちに結着剤を凝固する作用を持つ処理液を塗布した後、加熱した鏡面に圧着して光沢を付与するというキャストコート法によりインク受理層を設ける場合、インク受理層およびインク受理層処理液には、必要に応じて剥離剤を添加することが出来る。添加する剥離剤の融点は９０〜１５０℃であることが好ましく、特に９５〜１２０℃であることが好ましい。上記の範囲であると、剥離剤の融点が鏡面仕上げの金属表面温度とほぼ同等であるため、剥離剤としての能力が最大限に発揮される。剥離剤は、上記特性を有している限り特に限定されるものではない。特に好ましい剥離剤としてはポリエチレン系のワックスエマルジョンがあげられる。
（塗工方法）
本発明で使用するインク受理層を形成する塗工液及びインク受理層処理液には、必要に応じて顔料分散剤、保水剤、増粘剤、消泡剤、防腐剤、着色剤、耐水化剤、湿潤剤、蛍光染料、紫外線吸収剤、カチオン性インク定着剤等を適宜添加することができる。
支持体上に塗工液を塗布する方法は、ブレードコーター、エアナイフコーター、ロールコーター、ブラッシュコーター、キスコーター、スクイズコーター、カーテンコーター、ダイコーター、バーコーター、グラビアコーター、、コンマコーター等の公知の塗工機を用いて塗工する方法の中から適宜選択して使用することができる。インク受理層処理液を塗布する方法としては、ロール方式、スプレー方式、及びカーテン方式等があげられるが、これらに限定されるものではない。
（塗工量）
インク受理層の塗工量は、支持体の表面を覆うことが出来ると共に十分なインク吸収性が得られる範囲で任意に調整することができるが、印字濃度及びインク吸収性を両立させる観点から、片面当たり、固形分換算で５〜４０ｇ／ｍ２であることが好ましい。インク受理層の塗工量が５ｇ／ｍ２未満であると、インク吸収性が良好な支持体を使用してもインク吸収性が不足し、高精細の印字画像を得ることが困難になることがある。また、４０ｇ／ｍ２を超えると、結着剤の沈降等によりインク受理層表面の強度が低下したり、インク受理層表面に亀裂が入りやすくなり光沢感が低下したりすることがある。
【実施例】  以下、本発明を実施例によって更に詳述するが、本発明はこれらによって限定されるものではない。又、特に断らない限り、以下に記載する「部」及び「％」は、それぞれ固形分の「重量部」及び「重量％」を表す。ただし、蛍光増白剤は製品（液体）そのものの配合量である。
【実施例１．】
叩解度２８５ｍｌの広葉樹晒クラフトパルプ（Ｌ−ＢＫＰ）１００部からなるパルプスラリーに、酸化チタン２０部、硫酸アルミニウム１．０部、合成サイズ剤０．１部、及び歩留向上剤０．０２部を添加し、抄紙機で抄紙し、片面当りの固形分で２．５ｇ／ｍ２となるようにデンプンを両面に塗布して、坪量１４２ｇ／ｍ２の支持体を得た。
この支持体に、ブレードコーターを用い、固形分で塗工量が８ｇ／ｍ２となるように下記のインク受理層用塗工液Ａを片面に塗工し、１４０℃で送風乾燥した。次いで、インク受理層用塗工液Ａを塗工した面に、ロールコーターを用いて、下記のインク受理層用塗工液Ｂを固形分換算で２０ｇ／ｍ２塗工し、インク受理層が湿潤状態にあるうちに、インク受理層処理液を用いて凝固させた。次に、プレスロールを介して、湿潤状態にあるインク受理層を加熱された鏡面仕上げ面に圧着して鏡面を写し取り、１７０ｇ／ｍ２のインクジェット記録媒体を得た。
インク受理層用塗工液Ａ
・顔料：合成シリカ（ファインシールＸ−３７：株式会社トクヤマ社製の商品名）  １００部
・結着剤１：スチレン−ブタジエン樹脂ラテックス（ＬＸ４３８Ｃ：住友化学工業株式会社製の商品名）  ５部
・結着剤２：ポリビニルアルコール（ＰＶＡ１１７：株式会社クラレ製の商品名）  ２０部
・サイズ剤（ポリマロン３６０：荒川化学工業株式会社製の商品名）  ５部
・固形分濃度２０％
インク受理層用塗工液Ｂ：
・カチオン性顔料：γ型結晶形アルミナ（ＵＡ５６０５：昭和電工株式会社製の商品名、平均粒子径２．８μｍ）  １００部
・蛍光増白剤：カチオン性ビス（トリアジニルアミノ）スチルベンジスルホン酸誘導体型  蛍光増白剤（リューコファーＦＴＳリキッド（固形分４７％溶液）：クラリアントジャパン株式会社製の商品名）  ４部
・結着剤１：ポリビニルアルコール（ＰＶＡ２２４：株式会社クラレ社製の商品名）  １０部
・結着剤２：ウレタン樹脂エマルジョン（Ｆ８５７０  Ｄ２：第一工業製薬株式会社製の商品名）  ５部
・消泡剤０．２部
・固形分濃度２８％
インク受理層処理液：
・ホウ砂  １．５％（無水物換算）
・ホウ酸  ３．０％
・離型剤（ＦＬ−４８Ｃ：東邦化学工業株式会社製の商品名）  ０．２％
・固形分濃度４．７％
【実施例２．】
実施例１におけるインク受理層用塗工液Ｂで使用した、リューコファーＦＴＳリキッドの配合量を２部としたこと以外は、実施例１と同様にしてインクジェット記録媒体を得た。
【実施例３．】
実施例１におけるインク受理層用塗工液Ｂで使用した、リューコファーＦＴＳリキッドの配合量を０．５部としたこと以外は、実施例１と同様にしてインクジェット記録媒体を得た。
【実施例４．】
実施例１におけるインク受理層用塗工液Ｂで使用した、リューコファーＦＴＳリキッドの配合量を８部としたこと以外は、実施例１と同様にしてインクジェット記録媒体を得た。
【実施例５．】
実施例１におけるインク受理層用塗工液Ｂで使用した、リューコファーＦＴＳリキッドの配合量を１０部としたこと以外は、実施例１と同様にしてインクジェット記録媒体を得た。
【実施例６．】
実施例１におけるインク受理層用塗工液Ｂで使用した、カチオン性顔料として、γ型結晶形アルミナの代わりにカチオン性を付与したシリカ（サイロジェット７０３Ｃ：グレースジャパン株式会社製の商品名）を使用し、インク受理層塗工液の固形分濃度を１７％としたこと以外は、実施例１と同様にしてインクジェット記録媒体を得た。
【実施例７．】
実施例１における支持体に使用した酸化チタン２０部の代わりに、タルク１５部を配合したこと以外は、実施例１と同様にしてインクジェット記録媒体を得た。
【実施例８．】
実施例１におけるインク受理層用塗工液Ａにアニオン性蛍光増白剤（カヤホールＰＡＳリキッド：日本化薬株式会社製の商品名）を１０部配合し、インク受理層用塗工液ＢのリューコファーＦＴＳリキッドの配合量を０．５部としたこと以外は、実施例１と同様にしてインクジェット記録媒体を得た。
【実施例９．】
実施例１で使用したインク受理層塗工液Ａを塗工せず、インク受理層塗工液Ｂの塗工量を固形分で２８ｇ／ｍ２としたこと以外は、実施例１と同様にしてインクジェット記録媒体を得た。
【実施例１０．】
原紙両面をポリエチレンで被覆した１４０ｇ／ｍ２の支持体上に、下記のインク受理層用塗工液Ｃを、片面に固形分で塗工量が３０ｇ／ｍ２となるように、ダイコーターを用いて塗工し、４０℃で送風乾燥して１７０ｇ／ｍ２のインクジェット記録媒体を得た。
インク受理層用塗工液Ｃ
・カチオン性顔料：アルミナゾル（ＡＳ−２：触媒化成工業株式会社製の商品名）  １００部
・蛍光増白剤：カチオン性ビス（トリアジニルアミノ）スチルベンジスルホン酸誘導体型蛍光増白剤（リューコファーＦＴＳリキッド：クラリアントジャパン株式会社製の商品名）  ４部
・結着剤１：ポリビニルアセタール（エスレックＫＷ−１：積水化学工業株式会社製の商品名）  １０部
・結着剤２：ポリビニルアルコール（ゴーセノールＫＨ−１７：日本合成化学工業株式会社製の商品名）  ５部
・消泡剤０．２部
・固形分濃度１１％
比較例１．
実施例１におけるインク受理層用塗工液Ｂで用いたカチオン性顔料の代わりに、非カチオン性顔料である合成シリカ（ファインシールＸ−３７：株式会社トクヤマ社製の商品名）を用いたこと以外は、実施例１と同様にしてインクジェット記録媒体を得た。
比較例２．
実施例１におけるインク受理層用塗工液Ｂで用いた蛍光増白剤の代わりに、アニオン性蛍光増白剤（カヤホールＰＡＳリキッド：日本化薬株式会社製の商品名）を用いたところ、インク受理層用塗工液Ｂの増粘が著しく、塗工が不可能であったためインクジェット記録媒体を得ることができなかった。
比較例３．
実施例１におけるインク受理層用塗工液Ｂで用いた蛍光増白剤の代わりに、アニオン性蛍光増白剤（リューコファーＮＳリキッド：クラリアントジャパン株式会社製の商品名）を用いたこと以外は、実施例１と同様にしてインクジェット記録媒体を得た。
比較例４．
実施例１におけるインク受理層用塗工液Ｂで用いた蛍光増白剤の代わりに、カチオン性ベンゾイミダゾール誘導体型蛍光増白剤（ユビテックスＢＡＣリキッド：チバ・スペシャルティ・ケミカルズ株式会社製の商品名）を用いたこと以外は、実施例１と同様にしてインクジェット記録媒体を得た。
比較例５．
実施例１におけるインク受理層用塗工液Ｂで用いたリューコファーＦＴＳリキッドを配合しなかったこと以外は、実施例１と同様にしてインクジェット記録媒体を得た。
比較例６．
実施例１におけるインク受理層用塗工液Ａにアニオン性蛍光増白剤（カヤホールＰＡＳリキッド：日本化薬株式会社製の商品名）を１０部配合し、インク受理層用塗工液Ｂで用いたリューコファーＦＴＳリキッドを配合しなかったこと以外は、実施例１と同様にしてインクジェット記録媒体を得た。
実施例１〜１０、比較例１、及び３〜６で得られたインクジェット記録媒体の光沢感、白色度、並びにインクジェット記録試験を、以下の方法で行った。結果は表１にまとめた通りである。なお、表中の評価記号が○〜△である場合は、特に問題なく使用することが可能である。
（１）光沢感
ＪＩＳ  Ｚ８７４１の方法に準じて、インクジェット記録媒体のインク受理層表面の２０度鏡面光沢度を測定した。２０度鏡面光沢度が１５％以上であれば高い光沢感を有している。
（２）白色度
ＪＩＳ  Ｐ８１４８の方法に準じて、インクジェット記録媒体のインク受理層表面のＩＳＯ白色度を測定した。ＩＳＯ白色度が９０％以上であれば、高い白色度を有している。なお、試験片への照射光に含まれる紫外光量はＣＩＥイルミナントＣに相当するように調整し、紫外光を含む測定における測定値をＩＳＯ白色度とした。
（３）インクジェット記録試験
記録試験は、インクジェットプリンター（ＰＭ−９５０Ｃ：セイコーエプソン株式会社製の商品名）を用いて所定のパターンを記録し、下記の基準によって評価した。
ａ  印字濃度
ブラック、シアン、マゼンタ、イエローのベタ画像パターンの濃度をマクベス濃度計（ＲＤ９１５：Ｍａｃｂｅｔｈ社製の商品名）で測定し、測定値の合計を印字濃度とした。
ｂ  インク吸収性（ブリーディング）
レッド（マゼンタとイエローの混色）とグリーン（シアンとイエローの混色）のベタ画像が隣接するパターンを印字し、その境界部における滲み（ブリード）を、下記の基準によって目視で評価した。レッドとグリーンの境界部の滲み（ブリード）は黒色となり、より厳密な評価ができる。
○：境界部で滲みが全く認められない
△：境界部で滲みが多少認められる
×：境界部で滲みが著しく認められる
ｃ  記録画像耐光性
マゼンタのベタ画像パターンを、キセノンウェザーメーター（ＳＣ−７００−ＷＮ：スガ試験機株式会社製の商品名）を用いて２４時間処理した後の濃度をマクベス濃度計（ＲＤ９１５：Ｍａｃｂｅｔｈ社製の商品名）で測定し、処理前の濃度を基準とした残存率を、下記の基準によって評価した。
○：濃度残存率８０％以上
△：濃度残存率７０％以上８０％未満
×：濃度残存率７０％未満
2004014659.tif 000002
表１から明らかなように、実施例１〜１０の本発明のインクジェット記録媒体では、インク受理層表面の光沢感と白色度が共に高く、印字濃度、インク吸収性、及び記録画像耐光性のいずれの点でもバランスが良く、良好であることが実証された。一方、最外層のインク受理層に非カチオン性顔料のみを含有する比較例１では、白色度は高いものの十分な光沢感が得られず、最外層のインク受理層にカチオン性顔料と共にアニオン性蛍光増白剤を含有する比較例２及び比較例３では、インク受理層塗工液の増粘が著しく塗工不能となりインクジェット記録媒体が得られないか、得られても記録画像の耐光性が劣る。最外層のインク受理層にカチオン性顔料と共にビス（トリアジニルアミノ）スチルベンジスルホン酸誘導体型以外のカチオン性蛍光増白剤を含有する比較例４と、最外層のインク受理層にカチオン性ビス（トリアジニルアミノ）スチルベンジスルホン酸誘導体型蛍光増白剤を含有しない比較例５及び比較例６では、いずれも光沢感は高いものの十分な白色度が得られない。特に比較例４の場合には記録画像の耐光性が劣っている。これらの結果は本発明の有効性を実証するものである。
【産業上の利用可能性】  本発明のインクジェット記録媒体は、白色度が高い上光沢感が高く高品位であるのみならず、インクジェット記録特性に優れ、しかも記録画像の耐光性も良好である。
【国際調査報告】
2004014659.tif 000003
2004014659.tif 000004
2004014659.tif 000005
2004014659.tif 000006